(57)【特許請求の範囲】
【請求項１】
第１検出送信装置であって、
物体運動を検出するように構成された第１物体検出器と、
音信号を発生させるように構成された第１音発生器と、
を含む第１検出送信装置と、
前記第１検出送信装置の第１方向に沿って配置された第２検出送信装置であって、
音信号を受信するように構成された第２受音器と、
音信号を発生させる第２音発生器と、
を含む第２検出送信装置と、を含み、
前記第１物体検出器が第１移動物体を検出すると、前記第１音発生器は前記第１方向に向けた第１音信号を発生させ、
前記第２受音器が前記第１音信号を受信すると、前記第２音発生器は第２音信号を発生させ、
前記第２検出送信装置は物体検出器を有さず、
前記第１物体検出器が前記第１移動物体を検出すると、前記第１音発生器が前記第１方向に向けた前記第１音信号を発生させることは、前記第１物体検出器が前記第１方向に沿って移動する前記第１移動物体を検出すると、前記第１音発生器が前記第１方向に向けた前記第１音信号を発生させ、
前記第１検出送信装置の第１方向に沿って配置された第３検出送信装置であって、
音信号を受信するように構成された第３受音器と、
音信号を発生させる第３音発生器と、
物体運動を検出するように構成された第３物体検出器と、を含む第３検出送信装置をさらに含み、
前記第３受音器が前記第２音信号を受信すると、前記第３音発生器は前記第１方向に向けた第３音信号を発生させる、検出送信システム。
【請求項２】
前記第１音発生器及び前記第２音発生器によって生成される前記音信号は、超音波信号である、請求項１に記載の検出送信システム。
【請求項３】
前記第３検出送信装置は、前記第３受音器が前記第２音信号を受信すると、光、オーディオ信号、ビデオ信号、オーディオ・ビデオ信号又はネットワーク信号を発生させる第１機能を活性化するように構成された第１出力装置をさらに含む、請求項１に記載の検出送信システム。
【請求項４】
前記第３音発生器は、前記第３受音器が前記第２音信号を受信した後に前記第３物体検出器が前記第１方向に沿って移動する前記第１移動物体を検出すると、前記第１方向とは逆方向の第２方向に向けた第４音信号を発生させる、請求項１に記載の検出送信システム。
【請求項５】
前記第２検出送信装置は、前記第２受音器が前記第１音信号を受信すると、光、オーディオ信号、ビデオ信号、オーディオ・ビデオ信号又はネットワーク信号を発生させる第２機能を活性化し、前記第２受音器が前記第４音信号を受信すると、前記第２機能を非活性化するように構成された第２出力装置をさらに含む、請求項４に記載の検出送信システム。
【請求項６】
前記第３検出送信装置は、
環境光の明るさを検出するように構成された光センサと、
前記第３受音器が前記第２音信号を受信し、前記光センサが前記環境光の明るさが不十分であると識別すると、光を発生させる出力装置と、をさらに含む、請求項１に記載の検出送信システム。
【請求項７】
第１検出送信装置と、該第１検出送信装置の第１方向に沿って配置された第２検出送信装置とを含む検出送信システムを動作させる方法であって、当該方法は、
前記第１検出送信装置が第１移動物体を検出すると、前記第１検出送信装置は前記第１方向に第１音信号を発生させる工程と、
前記第２検出送信装置が前記第１音信号を受信すると、前記第２検出送信装置は第２音信号を発生させる工程と、を含み、
前記第２検出送信装置は移動物体を検出する物体検出器を有さず、
前記検出送信システムは、前記第１検出送信装置の第１方向に沿って配置された第３検出送信装置を含み、該第３検出送信装置は、物体運動を検出するように構成され、当該方法は、
前記第３検出送信装置が前記第２音信号を受信すると、前記第３検出送信装置は第３音信号を発生させる工程をさらに含む、方法。
【請求項８】
前記第１検出送信装置が前記第１移動物体の移動方向を検出する工程をさらに含み、
前記移動方向は前記第１方向と同じである、請求項７に記載の方法。
【請求項９】
前記第１音信号及び前記第２音信号は、超音波信号である、請求項７に記載の方法。
【請求項１０】
前記第３検出送信装置が前記第２音信号を受信すると、前記第３検出送信装置は、光、オーディオ信号、ビデオ信号、オーディオ・ビデオ信号又はネットワーク信号を発生させる第１機能を活性化する工程をさらに含む、請求項７に記載の方法。
【請求項１１】
前記第３検出送信装置が前記第２音信号を受信した後に前記第１方向に沿って移動する前記第１移動物体を検出すると、前記第３検出送信装置は、前記第１方向とは逆方向の第２方向に向けた第４音信号を発生させる工程をさらに含む、請求項７に記載の方法。
【請求項１２】
前記第２検出送信装置が前記第１音信号を受信すると、前記第２検出送信装置は光、オーディオ信号、ビデオ信号、オーディオ・ビデオ信号又はネットワーク信号を発生させる第２機能を活性化する工程と、
前記第２検出送信装置が前記第４音信号を受信すると、前記第２検出送信装置は前記第２機能を非活性化する、請求項１１に記載の方法。
【請求項１３】
前記第３検出送信装置が前記第２音信号を受信し、前記第３検出送信装置の光センサが環境光の明るさが不十分であると識別すると、前記第３検出送信装置は光を発生させる工程をさらに含む、請求項７に記載の方法。
【発明の詳細な説明】
【技術分野】
【０００１】
この発明は、検出送信システムに関する。より詳細には、物体の移動に応じた信号を送信することができる検出送信システムに関する。
【背景技術】
【０００２】
電力消費を節約するため、従来技術において、監視装置は照明装置に通常組み込まれている。監視装置は、移動物体又は生体を検出するために使用されることができ、移動物体又は生体が検出されたときにのみ、照明装置が点灯される。その結果、不必要な期間に生じる照明装置の電力消費を節約することができる。さらに、移動物体が検出されたときに照明装置を点灯する（turned  on）ので、予期しない照明によって、侵入者がそれ以上移動することを妨げることができる。すなわち、監視装置を備えた照明装置は、盗難防止のために使用することができる。
【０００３】
しかし、物体があまりにも速く動く場合、物体が通過する前に照明装置を点灯することができないことがある。例えば、車両はかなり速く動くことができるので、運転者は車両を制御するためにより広い視界範囲を必要とすることがある。しかし、車両が近づく前に照明装置がすぐに点灯されない場合、障害物が急に現れると、これに間に合うように運転者が車両の方向又は速度を制御することができないことがある。このため、物体の向きに応じて移動物体の経路上の照明装置をどのように点灯するかが課題となっている。
【先行技術文献】
【特許文献】
【０００４】
【特許文献１】台湾実用新案公告第Ｍ３００２７３号公報
【特許文献２】中国特許第１０２２６４１６９号明細書
【特許文献３】特開２００２−５６９９１号公報
【特許文献４】中国特許出願公開第１０２０９８８５１号明細書
【発明の概要】
【０００５】
本発明の一つの実施形態は、検出送信システムを開示する。検出送信システムは、第１検出送信装置及び第２検出送信装置を含む。
【０００６】
第１検出送信装置は、第１物体検出器及び第１音発生器を含む。第１物体検出器は物体運動（object  motion）を検出する。第１音発生器は音信号を発生する。第２検出送信装置は、第１検出送信装置の第１方向に沿って配置され、第２受音器及び第２音発生器を含む。第２受音器は音信号を受信し、第２音発生器は音信号を発生させる。
【０００７】
第１物体検出器が第１移動物体を検出すると、第１音発生器は第１方向に向けた第１音信号を発生させる。第２受音器が第１音信号を受信すると、第２音発生器は第２音信号を発生させる。
【０００８】
本発明の他の実施形態は、検出送信システムを動作させる方法を開示する。検出送信システムは、第１検出送信装置及び第２検出送信装置を含む。第２検出送信装置は、第１検出送信装置の第１方向に沿って配置される。方法は、第１検出送信装置が第１移動物体を検出すると、第１検出送信装置が第１方向に向けた第１音信号を発生させる工程と、第２検出送信装置が第１音信号を受信すると、第２検出送信装置が第２音信号を発生させる工程と、を含む。
【０００９】
本発明のこれらの目的及び他の目的は、様々な図表及び図面に図示される、以下の発明の実施するための好ましい形態を読むことにより、当業者には疑いなく明らかとなるだろう。
【図面の簡単な説明】
【００１０】
【図１】図１は、本発明の一実施形態による検出送信システムを示す。
【図２】図２は、本発明の他の実施形態による検出送信システムを示す。
【図３】図３は、本発明の他の実施形態による検出送信システムを示す。
【図４】図４は、本発明の他の実施形態による検出送信システムを示す。
【図５】図５は、図１の検出送信システムの動作させる方法を示す。
【図６】図６は、図２の検出送信システムの動作させる方法を示す。
【発明を実施するための形態】
【００１１】
図１は、本発明の一実施形態による検出送信システム１００を示す。検出送信システム１００は、検出送信装置１１０及び検出送信装置１２０を含む。検出送信装置１１０は、物体検出器１１２及び音発生器１１４を含む。物体検出器１１２は、移動物体を検出することができ、音発生器１１４は、音信号を発生させることができる。検出送信装置１２０は、検出送信装置１１０の第１方向Ｄ１に沿って配置されることができる。検出送信装置１２０は、音発生器１２４及び受音器１２６を含むことができる。音発生器１２４は、音信号を発生させることができ、受音器１２６は音信号を受信することができる。本発明のいくつかの実施形態においては、音発生器１１４及び音発生器１２４によって生成された音信号は、超音波信号であることができ、それにより、検出送信装置１１０及び検出送信装置１２０が音信号を送信するときに、可聴ノイズが発生するのを防止する。
【００１２】
いくつかの実施形態においては、物体検出器１１２は、赤外線検出器によって周囲の熱変化を検出することができる。したがって、移動物体による熱変化が検出されると、それに応じて物体検出器１１２は検出信号を発生させることができる。しかし、物体検出器１１２は、赤外線検出器の使用に限定されない。いくつかの実施形態においては、物体検出器１１２は、撮像装置を使用して、周辺環境における画像変化を検出し、その画像変化を観察することによって物体の移動に応じた検出信号を発生させることもできる。
【００１３】
いくつかの実施形態においては、物体検出器１１２が移動物体Ｏ１を検出すると、音発生器１１４は第１方向Ｄ１に沿って音信号Ｓ１を発生させることができる。つまり、一旦、物体検出器１１２が移動物体Ｏ１を検出すると、検出送信装置１１０は、第１方向Ｄ１に沿って配置された検出送信装置１２０へ対応する信号を送信することができる。いくつかの実施形態においては、検出送信装置１２０は、出力装置１２８をさらに含むことができる。受音器１２６が音信号Ｓ１を受信すると、出力装置１２８は光を発生させることができる。このため、検出送信システム１００を使用して、ユーザのための指示を誘導することができる。
【００１４】
いくつかの実施形態においては、物体検出器１１２は、移動物体Ｏ１の移動方向に応じて検出送信装置１２０に信号を送信することができる。例えば、物体検出器１１２が移動物体Ｏ１を検出すると、物体検出器１１２が、移動物体Ｏ１が第１方向Ｄ１に沿って移動していると識別した場合、音発生器１１４は、第１方向Ｄ１に沿って音信号Ｓ１を送信する。検出送信装置１２０は、検出送信装置１１０に対して第１方向Ｄ１に配置されているので、受音器１２６が、音発生器１１４によって生成された音信号Ｓ１を受信することができる。受音器１２６が音信号Ｓ１を受信すると、音発生器１２４は音信号Ｓ２を発生させて、次の検出送信装置に通知することもできる。その結果、検出送信システム１００は、移動物体Ｏ１の移動方向を検出した後に音信号を送信することにより、移動物体Ｏ１の移動方向に沿った経路上のライトを点灯することができる。
【００１５】
いくつかの実施形態においては、受音器１２６が音信号Ｓ１を受信すると、出力装置１２８が、システムの要件に従ってオーディオ信号、ビデオ信号、オーディオ・ビデオ信号、又はネットワーク信号を発生させることもできる。例えば、検出送信システム１００がツアーガイドに適用されるときは、出力装置１２８がツアーの展示又はアトラクションに対応するオーディオファイル及び／又はビデオファイルを再生することができる。あるいは、検出送信システム１００が盗難防止のために適用されるときは、出力装置１２８が侵入者を抑止するための警報を発生させるか、セキュリティシステムに通知するためにネットワーク信号を発生させることができる。あるいは、検出送信システム１００が照明を提供する駐車場や道路に適用されるときは、これらの場所が人々によって常に占有されているわけではない可能性があるため、検出送信システム１００は、電力消費を節約するために接近物が検出された場合にのみ、照明装置を活性化する（activate）ことができる。
【００１６】
図２は、本発明の一実施形態による検出送信システム２００を示す。検出送信システム２００は、検出送信装置２１０及び検出送信装置２２０を含む。検出送信システム２００は、検出送信システム１００と同様に動作させることができる。これらの２つの主な違いは、検出送信装置２１０が受音器２１６及び出力装置２１８をさらに含み、検出送信装置２２０が物体検出器２２２をさらに含むことにある。すなわち、検出送信装置２１０及び検出送信装置２２０は、同じ構造及び同じ機能を有することができる。
【００１７】
いくつかの実施形態においては、移動物体Ｏ２が第２方向Ｄ２、すなわち第１方向Ｄ１とは逆方向に動いていることを物体検出器２２２が検出すると、音発生器１２４は、第２方向Ｄ２に向けた音信号Ｓ´１を発生させることができる。受音器２１６が音信号Ｓ´１を受信すると、音発生器１１４は音信号Ｓ´２を発生させることができ、出力装置２１８が活性化されることができる。例えば、照明を点灯することができる。
【００１８】
いくつかの実施形態においては、検出送信システム２００は、検出送信装置２１０の側方に配置された検出送信装置２３０をさらに含むことができる。検出送信装置２３０は、物体検出器２３２と、受音器２３６と、音発生器２３４と、出力装置２３８と、を含む。受音器２３６が音信号Ｓ´２を受信すると、音発生器２３４は音信号Ｓ´３を発生させることができ、出力装置２３８が活性化されることができる。図２における検出送信装置２１０、２２０及び２３０が同じ構造を有しているため、検出送信装置２１０、２２０及び２３０は、移動物体を検出したとき、又は他の検出送信装置によって生成された音信号を受信したときに、移動物体の移動方向に沿う経路上の他の検出送信装置に通知するための音信号を発生させることができる。
【００１９】
いくつかの実施形態においては、検出送信装置２１０、２２０及び２３０の出力装置２１８、１２８及び２３８は、電力消費を節約するために所定時間の間、活性化された後に自動的に非活性化される（inactivated）ことができる。
【００２０】
図３は、本発明の一実施形態による検出送信システム３００を示す。検出送信システム３００は、検出送信装置２１０、２２０、２３０、３４０ａ及び３４０ｂを含む。検出送信システム２００と検出送信システム３００との主な違いは、検出送信システム３００が検出送信装置３４０ａ及び３４０ｂをさらに含むことにある。検出送信装置３４０ａは、検出送信装置２１０と検出送信装置２２０との間に配置されることができ、検出送信装置３４０ｂは、検出送信装置２１０及び検出送信装置２３０との間に配置されることができる。検出送信装置３４０ａ及び３４０ｂは同じ構造を有し、検出送信装置３４０ａ及び３４０ｂのそれぞれは、受音器３４６と、音発生器３４４と、出力装置３４８と、を含むことができる。
【００２１】
いくつかの実施形態においては、検出送信装置２１０、２２０、２３０、３４０ａ及び３４０ｂは道路Ａ０に沿って配置されることができる。移動物体Ｏ２が第２方向Ｄ２に沿って移動する車両である場合、検出送信装置２２０が移動物体Ｏ２を検出すると、検出送信装置２２０の音発生器１２４は検出送信装置３４０ａに向けた音信号Ｓ´´１を発生させることができる。検出送信装置３４０ａの受音器３４６が音信号Ｓ´´１を受信すると、検出送信装置３４０ａの出力装置３４８を活性化することができ、検出送信装置３４０ａの音発生器３４４は検出送信装置２１０に向けた音信号Ｓ´´２を発生させることができる。検出送信装置２１０の受音器２１６が音信号Ｓ´´２を受信すると、検出送信装置２１０の出力装置２１８を活性化することができ、検出送信装置２１０の音発生器１１４は検出送信装置３４０ｂに向けた音信号Ｓ´´３を発生させることができる。検出送信装置３４０ｂの受音器３４６が音信号Ｓ´´３を受信すると、検出送信装置３４０ｂの出力装置３４８を活性化することができ、検出送信装置３４０ｂの音発生器３４４は検出送信装置２３０に向けた音信号Ｓ´´４を発生させることができる。検出送信装置２３０の受音器２３６が音信号Ｓ´´４を受信すると、検出送信装置２３０の出力装置２３８を活性化することができ、検出送信装置２３０の音発生器２３４は音信号Ｓ´´５を発生させることができる。
【００２２】
いくつかの実施形態においては、検出送信装置２１０、２２０、２３０、３４０ａ及び３４０ｂは、所定時間の間、活性化された後に自動的に非活性化されることができる。また、検出送信装置２１０、２２０、２３０、３４０ａ及び３４０ｂは、検出送信装置２１０、２２０、２３０、３４０ａ、３４０ｂ間の距離及び車両の速度に応じて所定の時間を設定することができる。例えば、検出送信装置２１０、２２０、２３０、３４０ａ及び３４０ｂ間の距離及び車両の速度に応じて、所定時間を設定することができる。例えば、検出送信装置２１０、２２０、２３０、３４０ａ及び３４０ｂが２５０ｍ毎に配置され、検出送信装置２２０によって検出された移動物体Ｏ２の速度が３０ｋｍ／ｈである場合には、車両が推定２分で検出送信装置２３０を通過する可能性があるされる。このため、検出送信装置２１０、２２０、２３０、３４０ａ及び３４０ｂの出力装置は、不必要な電力消費を節約し、車両が通過するためのいくらかのバッファ時間を維持するために、３分間、活性化された後、自動的に非活性化されるように設定することができる。
【００２３】
いくつかの実施形態においては、検出送信システム３００は、移動物体Ｏ２の速度に応じて、検出送信装置２１０、２２０、２３０、３４０ａ及び３４０ｂの出力装置を活性化するタイミングを制御することができる。例えば、移動物体Ｏ２がかなり速く（例えば、３０ｋｍ／ｈのような所定速度よりも速く）移動する場合、検出送信装置２１０、２２０、２３０、３４０ａ及び３４０ｂは、一旦対応する音信号Ｓ´´１、Ｓ´´２、Ｓ´´３及びＳ´´４を受信したら、照明を点灯させることができ、それにより、安全性のため、時間通りに移動物体Ｏ２のための照明を提供する。しかし、移動物体Ｏ２がかなり遅く（例えば、３０ｋｍ／ｈのような所定速度よりも遅く）移動する場合、検出送信装置２１０及び３４０ａが一旦対応する音信号Ｓ´´１及びＳ´´２を受信したら、照明を点灯させるのに対し、検出送信装置３４０ｂ及び２３０は、対応する音信号Ｓ´´３及びＳ´´４を受信した後、照明を点灯させる前に、検出送信装置３４０ｂが移動物体Ｏ２を検出するまで時間（time  period）を遅らせる又は待機することができる。
【００２４】
しかし、検出送信装置２２０から検出送信装置２１０に向かう車両は、検出送信装置２３０を更に通過しなくてもよい。その代わりに、車両は、停止する、又はＵターンすることさえある。したがって、いくつかの実施形態においては、検出送信装置２１０が音信号Ｓ´´２を受信すると、検出送信装置２１０は、出力装置２１８を活性化することができるが、直ちに音信号Ｓ´´３を発生させなくてもよい。その代わりに、検出送信装置２１０が移動物体Ｏ２を検出するまで、検出送信装置２１０は音信号Ｓ´´３を発生させなくてよく、検出送信装置３４０ｂは、音信号Ｓ´´３を受信したら、検出送信装置３４０ｂの出力装置３４８を活性化することができる。その結果、不要な照明の電力消費を節約することができる。
【００２５】
また、本発明のいくつかの実施形態においては、検出送信装置２１０が移動物体Ｏ２を検出すると、検出送信装置２１０は、音発生器１１４によって検出送信装置３４０ｂに向けた音信号Ｓ´´３を発生させることができ、検出送信装置２１０は、出力装置２１８を活性化することができる。また、この場合、移動物体Ｏ２は既に検出送信装置２２０及び検出送信装置３４０ａを通過しているので、検出送信装置２２０及び検出送信装置３４０ａは光を発生させる必要がない。従って、検出送信装置２１０の音発生器１１４は、検出送信装置３４０ａに向けた音信号Ｓ´´６をさらに発生させて、検出送信装置３４０ａの出力装置３４８を非活性化することができる。検出送信装置３４０ａの受音器３４６が音信号Ｓ´´６を受信すると、検出送信装置３４０ａの出力装置３４８は非活性化される。さらに、検出送信装置３４０ａは、検出送信装置２２０に向けた音信号Ｓ´´７を発生させて、検出送信装置２２０の出力装置１２８を非活性化することができる。その結果、検出送信装置２１０、２２０、２３０、３４０ａ及び３４０ｂを、効率的に活性化及び非活性化することができ、不要な電力消費を節約することができる。いくつかの実施形態においては、音信号Ｓ´´６及び音信号Ｓ´´１は、異なる周波数を有することができる。このため、検出送信装置３４０ａは、受信した音信号の周波数に応じて、出力装置３４８を活性化する又は非活性化するため、音信号が検出送信装置２１０か、検出送信装置２２０かによって生成されたことを識別することができる。
【００２６】
いくつかの実施形態においては、検出送信システム３００は、トラフィック条件及び道路Ａ０の速度限界に応じて、検出送信装置２１０と検出送信装置２２０との間に、より多くの検出送信装置３４０ａを含んでもよく、検出送信装置２１０と検出送信装置２２０との間から検出送信装置３４０ａを除去してもよい。これにより、道路Ａ０上の照明等の出力装置をさらに効率的に制御することができる。
【００２７】
さらに、検出送信装置２１０、２２０、２３０、３４０ａ及び３４０ｂは光センサを含むことができる。光センサは、環境光の明るさを検出することができ、光センサが環境光の明るさが不十分であると識別すると、検出送信装置２１０、２２０、２３０、３４０ａ及び３４０ｂは、前述のプロセス内で対応する音信号に応じて光を発生させることができる。つまり、検出送信装置２１０、２２０、２３０、３４０ａ及び３４０ｂは、環境光が十分であるときは光を生成せず、不要な電力消費を節約することができる。
【００２８】
検出送信システム３００において、検出送信装置は単一方向に沿って配置されているが、実施形態によっては、用途及び関心経路の特徴に応じて、検出送信システムを複数の方向に沿って配置されることができる。
【００２９】
図４は、本発明の一実施形態による検出送信システム４００を示す。検出送信システム４００は、検出送信装置２１０、２２０ａ、２２０ｂ、２２０ｃ、２２０ｄ及び２２０ｅを含む。検出送信装置２２０ａ、２２０ｂ、２２０ｃ、２２０ｄ及び２２０ｅのそれぞれは、図２における検出送信装置２２０と同じ構造を有する。検出送信装置２１０及び２２０ａは道路Ａ１に沿って配置されることができ、検出送信装置２２０ｂ及び２２０ｃは道路Ａ２に沿って配置されることができ、検出送信装置２２０ｄ及び２２０ｅは、道路Ａ３に沿って配置されることができる。
【００３０】
いくつかの実施形態においては、物体検出器１１２が、第１方向Ｄ１に沿って道路Ａ１に進入する移動物体Ｏ３を検出すると、出力装置２１８が活性化され、音発生器１１４は、検出送信装置２２０ａに向けた音信号Ｓ０を発生させることができる。検出送信装置２２０ａの受音器１２６が音信号Ｓ０を受信すると、検出送信装置２２０ａの出力装置１２８が活性化され、検出送信装置２２０ａの音発生器１２４は、検出送信装置２２０ｂに向けた音信号Ｓａ０を発生させるとともに、検出送信装置２２０ｄに向けた音信号Ｓａ１を発生させることができる。検出送信装置２２０ｂの受音器１２６が音信号Ｓａ０を受信すると、検出送信装置２２０ｂの出力装置１２８が活性化され、検出送信装置２２０ｂの音発生器１２４は検出送信装置２２０ｃに向けた音信号Ｓｂを発生させることができる。検出送信装置２２０ｃの受音器１２６が音信号Ｓｂを受信すると、検出送信装置２２０ｃの出力装置１２８が活性化され、検出送信装置２２０ｃの音発生器１２４は音信号Ｓｃを発生させることができる。検出送信装置２２０ｄの受音器１２６が音信号Ｓａ１を受信すると、検出送信装置２２０ｄの出力装置１２８が活性化され、検出送信装置２２０ｄの音発生器１２４は検出送信装置２２０ｅに向けた音信号Ｓｄを発生させることができる。検出送信装置２２０ｅの受音器１２６が音信号Ｓｄを受信すると、検出送信装置２２０ｅの出力装置１２８が活性化され、検出送信装置２２０ｅの音発生器１２４は音信号Ｓｅを発生させることができる。その結果、検出送信システム４００の検出送信装置のそれぞれを道路の方向に応じて配置することができ、移動物体Ｏ３の可能な移動経路上の検出送信装置の出力装置を、移動物体Ｏ３が検出されたら、即座に活性化することができる。
【００３１】
いくつかの実施形態においては、検出送信装置２２０ｂの受音器１２６が音信号Ｓａ０を受信すると、検出送信装置２２０ｂは、検出送信装置２２０ｂの出力装置１２８を活性化し、さらに、移動物体Ｏ３が検出される否かを確認することができる。検出送信装置２２０ｂが移動物体Ｏ３を検出すると、移動物体Ｏ３は後で道路Ａ２に進入する可能性が非常に高い。この場合、検出送信装置２２０ｂの音発生器１２４は、検出送信装置２２０ｃに向けた音信号Ｓｂを発生させ、検出送信装置２２０ｃは、音信号Ｓｂを受信したら、検出送信装置２２０ｃの出力装置１２８を活性化する。そのため、道路Ａ２の代わりに移動物体Ｏ３が道路Ａ３に進入した場合は、検出送信装置２２０ｃの出力装置及び（もしあるなら）道路Ａ２上の他の検出送信装置の出力装置は活性化されない。これにより、不要な電力消費を節約することができる。しかし、いくつかの実施形態においては、検出送信装置が音信号を送信し、出力装置を活性化するタイミングも、システム要件に応じて調整することができる。
【００３２】
検出送信システム１００、２００、３００及び４００は、移動物体の移動経路に従って、照明を点灯させる等、出力装置を活性化することができる。このため、従来技術のような、物体の存在を検出するトリガ条件が不十分であることにより、出力装置をユーザのために時間通りに活性化することができない場合を回避することができる。
【００３３】
図５は、検出送信システム１００を動作させるための方法５００を示す。方法５００は、ステップＳ５１０及びステップＳ５２０を含む。
【００３４】
Ｓ５１０：検出送信装置１１０が移動物体Ｏ１を検出すると、検出送信装置１１０は第１方向Ｄ１に向けた音信号Ｓ１を発生させる。
【００３５】
Ｓ５２０：検出送信装置１２０が音信号Ｓ１を受信すると、検出送信装置１２０は音信号Ｓ２を発生させる。
【００３６】
図６は、検出送信システム２００を動作させる方法６００を示す。方法６００は、ステップＳ６１０からステップＳ６３０を含む。
【００３７】
Ｓ６１０：検出送信装置２２０が移動物体Ｏ２を検出すると、検出送信装置２２０は第１方向Ｄ１とは逆方向に音信号Ｓ´１を発生させる。
【００３８】
Ｓ６２０：検出送信装置２１０が音信号Ｓ´１を受信すると、検出送信装置２１０は音信号Ｓ´２を発生させる。
【００３９】
Ｓ６３０：検出送信装置２３０が音信号Ｓ´２を受信すると、検出送信装置２３０は音信号Ｓ´３を発生させる。
【００４０】
いくつかの実施形態においては、方法５００を検出送信システム２００にも適用することもできる。すなわち、検出送信装置２１０が移動物体を検出すると、検出送信装置２１０は第１方向Ｄ１に向けた音信号を発生させることができる。また、検出送信装置２２０が検出送信装置２１０によって生成された音信号を受信すると、検出送信装置２２０は音信号を発生させることができる。
【００４１】
検出送信システム２００を動作させる方法５００及び方法６００は、移動物体の移動経路に従って、照明を点灯させる等、出力装置を活性化することができる。このため、従来技術のような、物体の存在を検出するトリガ条件が不十分であることにより、出力装置をユーザのために時間通りに活性化することができない場合を回避することができる。
【００４２】
まとめると、本発明の実施形態により提供される検出送信システム及び検出送信システムを動作させる方法によれば、移動物体の移動経路上の出力装置を物体の移動に応じて活性化することができる。このため、従来技術のような、物体の存在を検出するトリガ条件が不十分であることにより、出力装置をユーザのために時間通りに活性化することができない場合を回避することができる。
【００４３】
当業者であれば、本装置及び本方法の多様な修正物及び代替物が、発明の教示を保持しつつなされることができることに容易に気づくだろう。したがって、上記の開示は、添付の特許請求の範囲の境界によってのみ制限されるものとして解釈されるべきである。
【図１】
0006552540.tif 000002
【図２】
0006552540.tif 000003
【図３】
0006552540.tif 000004
【図４】
0006552540.tif 000005
【図５】
0006552540.tif 000006
【図６】
0006552540.tif 000007